(57)【要約】  【課題】    温度変化に関わらず予定結像面に対する結像位置のズレをなくすようにしたレンズ装置を提供する。  【解決手段】  レンズ装置４０において、ＣＰＵ３０が被写体距離及び温度に応じて液体光学素子１に印加する電圧を調整するため、機械的な駆動源を有することなく合焦動作を達成でき、しかも温度変化に関わらず、最適な結像を達成できるため、コンパクトでありながら高画質な画像を得ることが可能となる。【選択図】      図３
2005062632.tif 000002
【特許請求の範囲】
【請求項１】
導電性または有極性の第１の液体および前記第１の液体とは互いに混合することがない第２の液体を、界面が所定の形状となるように容器内に密閉収容し、前記第１の液体と前記容器に設けられた電極との間に電圧を印加することにより、前記界面の形状を変化させて屈折力を調整するようにした液体光学素子を備えたレンズ装置において、
温度により光学特性が変化するプラスチックレンズと、
温度を検出する温度検出手段と、
前記温度検出手段により検出された温度に応じて、前記プラスチックレンズ及び前記液体光学素子の光学特性の変化による影響を減じるように、前記液体光学素子に印加する電圧を制御する制御手段と、を有することを特徴とするレンズ装置。
【請求項２】
導電性または有極性の第１の液体および前記第１の液体とは互いに混合することがない第２の液体を、界面が所定の形状となるように容器内に密閉収容し、前記第１の液体と前記容器に設けられた電極との間に電圧を印加することにより、前記界面の形状を変化させて屈折力を調整するようにした液体光学素子を備えたレンズ装置において、
温度により光学特性が変化するプラスチックレンズと、
前記液体光学素子の静電容量を検出する静電容量検出手段と、
前記静電容量検出手段の検出結果に応じて、前記プラスチックレンズ及び前記液体光学素子の光学特性の変化による影響を減じるように、前記液体光学素子に印加する電圧を制御する制御手段と、を有することを特徴とするレンズ装置。
【発明の詳細な説明】
【技術分野】
【０００１】
本発明は、レンズ装置に関し、例えば銀塩カメラや電子カメラ、あるいは携帯電話等に搭載される小型の撮像装置に用いられると好適なレンズ装置に関する。
【背景技術】
【０００２】
銀塩カメラや電子カメラ、あるいは携帯電話等に搭載される小型の撮像装置においては、光学像をフィルム面や撮像素子に結像させるためのレンズ装置が設けられている。ここで、レンズ装置に用いるレンズをプラスチックから形成すると、射出成形などを用いることで安価に大量生産ができ、製造コストを低く抑えることができる。
【０００３】
ところで、プラスチック材料は、無機ガラス材料に比べて環境変化に対する物理的性質の変化が大きい。例えば線膨張係数が大きく、プラスチック材料としてのＰＭＭＡではこの線膨張係数が代表値で６７．９×１０−６／℃であるのに対して、無機ガラスのＬａＫ１４（ＯＨＡＲＡ製）ではこれが５７×１０−７／℃と１桁小さい。また温度変化  に対する屈折率の変化についても、ＰＭＭＡでは代表値で１．０〜１．２×１０−４／℃であるのに対して、上記ＬａＫ１４では、Ｄ線で３．９〜４．４×１０−６／℃と２桁小さい。
【０００４】
このようにプラスチック材料は、無機ガラス材料に比べて、温度変化 に対して光学的諸定数（屈折率や形状等）の変化が大きい。例えばプラスチック材料より成るレンズ、所謂プラスチックレンズ は、無機ガラス材料より成るレンズに比べて、温度変化 に対して焦点距離が大きく変化する。
【０００５】
特に最近のレンズ装置は、撮影光学系の小型化、固体撮像素子の小型化、各要素の高密度化などを図って、小型化される傾向にある。このため、レンズ装置における予定結像面に対し、温度変化による結像面のズレの影響が無視できないほど大きくなるという問題がある。したがって、このような環境変化による結像位置のズレをいかに効果的に補正するかが大きな問題となっている。
【０００６】
このような問題点に対処するために、従来は、同じプラスチックの凸レンズと凹レンズとを組み合わせて用い、温度変化による両者の特性変化を打ち消すようにするか、或いはプラスチックレンズの温度変化による結像位置のズレ量を予め測定し記憶しておき、フォーカシング駆動の際にプラスチックレンズの光軸方向位置を補正することで、温度に関わらず予定結像面に対する結像位置のズレをなくすなどの対策がとられている。
【０００７】
しかるに、前者の対策によれば、プラスチックレンズの枚数が多いレンズ装置においては有効といえるが、少ないレンズ枚数で、しかもプラスチックレンズを多用するレンズ装置の場合には、光学系の設計の自由度が制限されてしまい、常に最適な光学特性を得ることができるとは言い難い。一方、後者の対策によれば、プラスチックレンズを駆動するための高精度な移動機構（高分解能の移動機構）をレンズ装置に設けることが必要となり、構成が複雑化しコストが増大するという問題がある。
【０００８】
これに対し、特許文献１には、導電性または有極性の第１の液体および第１の液体とは互いに混合することがない第２の液体を、界面が所定の形状となるように容器内に密閉収容し、第１の液体と容器に設けられた電極との間に電圧を印加することにより、界面の形状を変化させて屈折力を調整するようにした液体光学素子が開示されている。従って、プラスチックレンズと液体光学素子とを組み合わせて用いれば、プラスチックレンズを光軸方向に変位させずとも、温度変化により生じた光学特性変化を打ち消すように、液体光学素子を制御することで、予定結像面に適切に光学像を結像させることができるともいえる。
【特許文献１】国際特許ＷＯ９９／１８４５６号公報
【発明の開示】
【発明が解決しようとする課題】
【０００９】
ところが、液体光学素子においても、温度変化に応じた光学特性の変化が生じる。従って、単にプラスチックレンズと液体光学素子とを組み合わせたのみでは、温度変化に関わらず予定結像面に対する結像位置のズレをなくすようにしたレンズ装置を提供できるとはいえない。
【００１０】
本発明は、このような問題点に鑑みてなされたものであり、温度変化に関わらず予定結像面に対する結像位置のズレをなくすようにしたレンズ装置を提供することを目的とする。
【課題を解決するための手段】
【００１１】
請求項１に記載のレンズ装置は、導電性または有極性の第１の液体および前記第１の液体とは互いに混合することがない第２の液体を、界面が所定の形状となるように容器内に密閉収容し、前記第１の液体と前記容器に設けられた電極との間に電圧を印加することにより、前記界面の形状を変化させて屈折力を調整するようにした液体光学素子を備えたレンズ装置において、温度により光学特性が変化するプラスチックレンズと、温度を検出する温度検出手段と、前記温度検出手段により検出された温度に応じて、前記プラスチックレンズ及び前記液体光学素子の光学特性の変化による影響を減じるように、前記液体光学素子に印加する電圧を制御する制御手段と、を有することを特徴とするので、温度変化に関わらず、予定結像面に対する結像位置のズレをなくすことができる。
【００１２】
導電性または有極性の第１の液体および前記第１の液体とは互いに混合することがない第２の液体を、界面が所定の形状となるように容器内に密閉収容し、前記第１の液体と前記容器に設けられた電極との間に電圧を印加することにより、前記界面の形状を変化させて屈折力を調整するようにした液体光学素子を備えたレンズ装置において、温度により光学特性が変化するプラスチックレンズと、前記液体光学素子の静電容量を検出する静電容量検出手段と、前記静電容量検出手段の検出結果に応じて、前記プラスチックレンズ及び前記液体光学素子の光学特性の変化による影響を減じるように、前記液体光学素子に印加する電圧を制御する制御手段と、を有することを特徴とするので、前記液体素子の静電容量から温度を求めることで、それに応じた電圧制御を前記制御手段が行い、それにより温度変化に関わらず、予定結像面に対する結像位置のズレをなくすことができる。
【発明の効果】
【００１３】
本発明によれば、温度変化に関わらず予定結像面に対する結像位置のズレをなくすようにしたレンズ装置を提供することができる。
【発明を実施するための最良の形態】
【００１４】
図１、２は、本発明の実施の形態にかかるレンズ装置に用いる液体光学素子の断面図である。図１を用いて液体光学素子の構成と作用を説明する。図１において、１は本発明の光学素子全体を示し、２は中央に凹部を設けた透明アクリル製の透明基板である。透明基板２の上面には、酸化インジウムスズ製の透明電極（ＩＴＯ）３がスパッタリングで形成され、その上面には透明アクリル製の絶縁層４が密着して設けられる。絶縁層４は、前記透明電極３の中央にレプリカ樹脂を滴下し、ガラス板で押しつけて表面を平滑にした後、ＵＶ照射を行ない硬化させて形成する。絶縁層４の上面には、遮光性を有した円筒型の容器５が接着固定され、その上面には透明アクリル製のカバー板６が接着固定され、更にその上面には中央部に直径Ｄ３の開口を有した絞り板７が配置される。以上の構成において、絶縁層４、容器５及び上カバー６で囲まれた所定体積の密閉空間、すなわち液室を有した筐体が形成される。そして液室の壁面には、以下に示す表面処理が施される。
【００１５】
まず絶縁層４の中央上面には、直径Ｄ１の範囲内に撥水処理剤が塗布され、撥水膜１１が形成される。撥水処理剤は、フッ素化合物等が好適である。また、絶縁層４上面の直径Ｄ１より外側の範囲には、親水処理剤が塗布され、親水膜１２が形成される。親水剤は、界面活性剤、親水性ポリマー等が好適である。一方、カバー板６の下面には、直径Ｄ２の範囲内に親水処理が施され、前記親水膜１２と同様の性質を有した親水膜１３が形成される。そしてこれまでに説明したすべての構成部材は、光軸２３に対して回転対称形状をしている。更に、容器５の一部には孔があけられ、ここに棒状電極２５が挿入され、接着剤で封止されて前記液室の密閉性を維持している。そして透明電極３と棒状電極２５には給電手段２６が接続され、スイッチ２７の操作で両電極間に所定の電圧が印加可能になっている。
【００１６】
以上の構成の液室には、以下に示す２種類の液体が充填される。まず絶縁層４上の撥水膜１１の上には、第２の液体２２が所定量だけ滴下される。第２の液体２２は無色透明で、比重１．０６、室温での屈折率１．４５のシリコーンオイルが用いられる。一方液室内の残りの空間には、第１の液体２１が充填される。第１の液体２１は、水とエチルアルコールが所定比率で混合され、更に所定量の食塩が加えられた、比重１．０６、室温での屈折率１．３５の電解液である。すなわち、第１及び第２の液体は、比重が等しく、かつ互いに不溶の液体が選定される。そこで両液体は界面２４を形成し、混じりあわずに各々が独立して存在する。
【００１７】
次に前記界面の形状について説明する。まず、第１の液体に電圧が印加されていない場合、界面２４の形状は、両液体間の界面張力、第１の液体と絶縁層４上の撥水膜１１あるいは親水膜１２との界面張力、第２の液体と絶縁層４上の撥水膜１１あるいは親水膜１２との界面張力、及び第２の液体の体積で決まる。本実施の形態においては、第２の液体２２の材料であるシリコーンオイルと、撥水膜１１との界面張力が相対的に小さくなるように材料選定されている。すなわち両材料間の濡れ性が高いため、第２の液体２２が形成するレンズ状液滴の外縁は広がる性向を持ち、外縁が撥水膜１１の塗布領域に一致したところで安定する。すなわち第２の液体が形成するレンズ底面の直径Ａ１は、撥水膜１１の直径Ｄ１に等しい。一方両液体の比重は前述のごとく等しいため、重力は作用しない。そこで界面２４は球面になり、その曲率半径及び高さｈ１は第２の液体２２の体積により決まる。また、第１の液体の光軸上の厚さはｔ１になる。
【００１８】
一方、スイッチ２７が閉操作され、第１の液体２１に電圧が印加されると、電気毛管現象によって第１の液体２１と親水膜１２との界面張力が減少し、第１の液体が親水膜１２と疎水膜２２の境界を乗り越えて疎水膜２２内に侵入する。その結果、図２のごとく、第２の液体が作るレンズの底面の直径はＡ１からＡ２に減少し、高さはｈ１からｈ２に増加する。また、第１の液体の光軸上の厚さはｔ２になる。このように第１の液体１２１への電圧印加によって、２種類の液体の界面張力の釣り合いが変化し、両液体間の界面の形状が変わる。よって、給電手段２６の電圧制御によって界面２４の形状を自在に変えられる光学素子が実現できる。また、第１及び第２の液体が異なっている屈折率を有しているため、光学レンズとしてのパワーが付与される事になるから、液体光学素子１は界面２４の形状変化によって可変焦点レンズとなる。さらには、図１に比べて図２の界面２４の方が曲率半径が短くなるので、図２の状態の液体光学素子１の方が図１の状態に比べて液体光学素子１の焦点距離は短くなる。
【００１９】
図３は、液体光学素子１を含むレンズ装置４０を採用した電子カメラ５０の概略構成図である。本実施の形態では、電子カメラ５０は、静止画像を撮像素子を介して電気信号に光電変換し、これをデジタルデータとして記録する、いわゆるデジタルスチルカメラとしているが、これに限られることはない。レンズ装置４０は、物体側から順に、絞りユニット４３と、液体光学素子１と、プラスチックレンズ４２とを含み、更に温度センサー４６と、制御手段であるＣＰＵ３０と、給電手段３１とを含んで構成される。プラスチックレンズ４２は光軸方向に固定され、液体光学素子１のパワー変化で焦点調節がなされる。絞りユニット４３は、公知の技術によって絞り開口径を調整して撮影光束の光量を調整する。またレンズ装置４０の焦点位置（予定結像面）には、撮像素子４４が配置される。これは受光面に結像された光学像を電荷に変換する複数の光電変換部、該電荷を蓄える電荷蓄積部、及び該電荷を転送し、外部に送出する電荷転送部からなる２次元ＣＣＤ等の光電変換手段が用いられる。
【００２０】
液体光学素子１のパワーを制御する給電手段３１について説明する。３２は電子カメラ５０に組込まれている乾電池等の直流電源、３３は電源３２から出力された電圧をＣＰＵ３０の制御信号に応じて所望の電圧値へと昇圧するＤＣ／ＤＣコンバータ、３４及び３５はＣＰＵ３０の制御信号、例えばＰＷＭ機能が実現される周波数／デューティ比可変信号に応じて、その信号レベルをＤＣ／ＤＣコンバータ３３で昇圧された電圧レベルにまで増幅する増幅器である。また、増幅器３４は液体光学素子１の透明電極３に、増幅器３５は液体光学素子１の棒状電極２５にそれぞれ接続している。つまり、ＣＰＵ３０の制御信号に応じて、電源３２の出力電圧がＤＣ／ＤＣコンバータ３３、増幅器３４、増幅器３５によって所望の電圧値、周波数、及びデューティーで液体光学素子１に印加されるようになる。
【００２１】
４５は画像信号処理回路で、撮像素子４４から入力したアナログの画像信号をＡ／Ｄ変換し、ＡＧＣ制御、ホワイトバランス、γ補正、エッジ強調等の画像処理を施す。４６はレンズ装置４０の周囲の雰囲気温度（気温）を測定する温度検出手段即ち温度センサーである。４７はＣＰＵ３０の内部に設けられたタイマで、ＣＰＵ３０によって設定された時間をカウントするためのものである。５１は液晶ディスプレイ等の表示器で、撮像素子４４で取得した被写体像や、可変焦点レンズを有する光学装置の動作状況を表示する。５２はＣＰＵ３０をスリープ状態からプログラム実行状態に起動するメインスイッチである。
【００２２】
５４は上記スイッチ以外の操作スイッチ群で、撮影準備スイッチ、撮影開始スイッチ、シャッター秒時等を設定する撮影条件設定スイッチ等で構成される。５５は焦点検出手段で、一眼レフカメラに用いられる位相差検出式焦点検出手段等が好適である。５７はメモリ手段で、撮影された画像信号を記録する。具体的には、着脱可能なＰＣカード型のフラッシュメモリ等が好適である。
【００２３】
本実施の形態の動作について説明する。図４は、図３に示す電子カメラ５０のＣＰＵ３０が行う制御のフローチャート図である。ステップＳ１０１において、ＣＰＵ３０は、メインスイッチ５２がオン操作されたかどうかを判別し、オン操作されていない時は、そのまま各種スイッチの操作を待つ待機モードの状態を維持する。ステップＳ１０１においてメインスイッチ５２がオン操作されたと判定したら、ＣＰＵ３０は、待機モードを解除し、次のステップＳ１０２以降へと進む。
【００２４】
ステップＳ１０２では、温度センサー４６によって電子カメラ５０のレンズ装置４０の周囲温度、つまりプラスチックレンズ４２と液体光学素子１の周囲の気温を測定する。ステップＳ１０３では、ＣＰＵ３０は、撮影者による撮影条件の設定（例えば、露出制御モードの設定（シャッター優先ＡＥ、プログラムＡＥ等）や画質モード（記録画素数の大小、画像圧縮率の大小等）、ストロボモード（強制発光、発光禁止等）等）を受け付ける。
【００２５】
ステップＳ１０４では、ＣＰＵ３０は、撮影者によって操作スイッチ群５４のうち、レリーズスイッチの半押し操作（Ｓ１オン）が行われたか否かを判別する。Ｓ１オン操作されていない場合はステップＳ１０２に戻り、温度検知と撮影条件設定の受付を繰り返す。ステップＳ１０４でＳ１オン操作されたと判定されたら、ステップＳ１０５へ移行し、ＣＰＵ３０は、撮像手段４４及び信号処理回路４５を駆動して、プレビュー画像を取得する。プレビュー画像とは、最終記録用画像の撮影条件を適切に設定するため、及び撮影者に撮影構図を把握させるために撮影前に取得する画像の事である。
【００２６】
ステップＳ１０６では、ＣＰＵ３０は、ステップＳ１０５で取得したプレビュー画像の受光レベルを認識する。具体的には、ＣＰＵ３０は、撮像手段４４が出力する画像信号において、最高、最低及び平均の出力信号レベルを演算し、撮像手段４４に入射する光量を認識する。ステップＳ１０７では、ＣＰＵ３０は、ステップＳ１０６で認識した受光量に基いて、レンズ装置４０内に設けられた絞りユニット４３を駆動して適正光量になるように絞りユニット４３の開口径を調整する。
【００２７】
ステップＳ１０８では、ＣＰＵ３０は、ステップＳ１０５で取得したプレビュー画像を表示器５１に表示し、続いてステップＳ１０９では、焦点検出手段５５を用いて、被写体までの距離を検出し、更にステップＳ１１０では、液体光学素子１を駆動制御して、最適な合焦状態を得る。このとき、温度に応じてプラスチックレンズ４２の屈折率が変化し、また液体光学素子１の屈折率も変化するので、ＣＰＵ３０は、焦点検出手段５５によって取得した被写体距離及び温度センサー４６によって取得した温度に基づき、表１に示すテーブルに従って液体光学素子１に印加する電圧値を変える。それにより、温度変化によるプラスチックレンズ４２及び液体光学素子１の光学特性変化の影響を減じて、適切な合焦動作を実現できる。
【００２８】
【表１】
2005062632.tif 000003
【００２９】
その後、ステップＳ１１１に進み、ＣＰＵ３０は、レリーズスイッチの全押し（Ｓ２オン）の操作がなされたか否かを判別する。Ｓ２オン操作されていない時はステップＳ１０５に戻り、プレビュー画像の取得からフォーカス駆動までのステップを繰り返し実行する。
【００３０】
一方、撮影者がレリーズスイッチをＳ２オン操作すると、ＣＰＵ３０は、ステップＳ１１２で撮影を行なう。すなわち撮像手段４４の受光面上に結像した被写体像を光電変換し、光学像の強度に比例した電荷が各受光部近傍の電荷蓄積部に蓄積される。ステップＳ１１３では、ＣＰＵ３０は、ステップＳ１１２で蓄積された電荷を電荷転送ラインを介して読み出し、読み出しされたアナログ信号を信号処理回路４５に入力させる。ステップＳ１１４では、信号処理回路４５において、入力したアナログ画像信号をＡ／Ｄ変換し、ＡＧＣ制御、ホワイトバランス、γ補正、エッジ強調等の画像処理を施し、さらに必要に応じてＣＰＵ３０内に記憶された画像圧縮プログラムでＪＰＥＧ圧縮等を施す。ステップＳ１１５では、ＣＰＵ３０は、上記ステップＳ１１４で得られた画像信号をメモリ５７に記録すると同時に、ステップＳ１１６にて一旦プレビュー画像を消去した後に、ステップＳ１１４で得られた画像信号を表示器５１に改めて表示する。その後、ステップＳ１１７で、ＣＰＵ３０は、給電手段３１を制御して液体光学素子１への電圧印加をオフして、一連の撮影動作が終了する。
【００３１】
本実施の形態によれば、レンズ装置４０において、ＣＰＵ３０が被写体距離及び温度に応じて液体光学素子１に印加する電圧を調整するため、機械的な駆動源を有することなく合焦動作を達成でき、しかも温度変化に関わらず、最適な結像を達成できるため、コンパクトでありながら高画質な画像を得ることが可能となる。尚、レンズ装置４０にズーミング用のレンズを設けて、ズームレンズ装置とすることは任意である。また、液体光学素子１に印加する電圧は、温度を変数とする特定関数に応じて変化させてもよい。
【００３２】
図５は、第２の実施の形態にかかる電子カメラ１５０の概略構成図である。本実施の形態が、図３に示す実施の形態と異なる点は、温度センサーの代わりに静電容量検出手段を設けていることである。本実施の形態では、液体光学素子１の静電容量が温度変化に応じて変化することを利用して、温度を検出し、光学特性の変化を補正するものである。
【００３３】
より具体的に異なる点について説明すると、増幅器３４は、静電容量検出手段６１のＬＣ直立共振回路６２を介して液体光学素子１の第２の電極である透明電極３に、増幅器３５は液体光学素子１の第１の電極である棒状電極２５にそれぞれ接続されている。
【００３４】
静電容量検出手段６１の静電容量検出の態様について説明する。未知の静電容量をもった液体光学素子１の第１の電極である棒状電極２５に、出力インピーダンスＺ0をもった給電手段３１より所定の周波数ｆ0の交流駆動電圧Ｅ0を印加することにより、光学素子１の第２の電極である透明電極３から流出した電流ｉ0はインピーダンスＺｓをもったＬＣ直列共振回路６２に流入することになり、ＬＣ直列共振回路６２の中点に検出電圧Ｅｓが生じる。この検出電圧Ｅｓは、電流ｉ0に比例したものとなる。そして、ＬＣ直列共振回路６２の中点の検出電圧Ｅｓを増幅器６３でＡ倍に増幅し、増幅器６３の検出電圧Ａ×ＥｓをＡＣ／ＤＣ変換手段６４にて直流電圧に変換して、ＣＰＵ３０に供給する。光学素子１はコンデンサ構造を有した素子であり、その静電容量は印加電圧に対して可変であり、印加電圧が高いほど静電容量も大きくなる。例えば、レンズ装置４０の雰囲気温度が所定温度Ｔ℃の状態において給電手段３１より所定駆動電圧Ｅ１が印加されると、光学素子１の界面形状２４が変化し、その静電容量がＣ１となるので検出電圧はＥｓ１となる。しかし、雰囲気温度が所定温度Ｔ℃から変化すると、同じ所定駆動電圧Ｅ１を印加しても、温度によって静電容量も変化するため、静電容量の変化により検出電圧Ｅｓも変化する。
【００３５】
従って、光学素子１に所定駆動電圧Ｅ１を印加した際の各温度と検出電圧Ｅｓの関係を予め検出し、温度−検出電圧Ｅｓのテーブルとして記憶しておくことで、温度を検出することが可能となる。ＣＰＵ３０は、温度検出時に光学素子１に所定駆動電圧Ｅｓを印加して検出電圧Ｅｓを検出することで、そのときの温度を検出し、更に表１に基づき、液体光学素子１への印加電圧を決定できる。尚、ここでは静電容量の検出手段として直列共振回路を用いたが、静電容量検出装置として知られているＬＣＲメーターに用いられている並列ブリッジ等を用いても良い。
【００３６】
以上、本発明を実施の形態を参照して説明してきたが、本発明は上記実施の形態に限定して解釈されるべきではなく、適宜変更・改良が可能であることはもちろんである。本発明のレンズ装置は、銀塩カメラや電子カメラ、携帯電話、ＰＤＡ等の携帯端末に搭載される撮像装置など、その用途を問わず適用可能である。
【図面の簡単な説明】
【００３７】
【図１】本発明の実施の形態にかかるレンズ装置に用いる液体光学素子の断面図である。
【図２】本発明の実施の形態にかかるレンズ装置に用いる液体光学素子の断面図である。
【図３】液体光学素子１を含むレンズ装置４０を採用した電子カメラ５０の概略構成図である。
【図４】図３に示す電子カメラ５０のＣＰＵ３０が行う制御のフローチャート図である。
【図５】第２の実施の形態にかかる電子カメラ１５０の概略構成図である。
【符号の説明】
【００３８】
１  液体光学素子
４０  レンズ装置
４２  プラスチックレンズ
４６  温度センサー
５０、１５０  電子カメラ  
６１  静電容量検出手段  
【図１】
2005062632.tif 000004
【図２】
2005062632.tif 000005
【図３】
2005062632.tif 000006
【図４】
2005062632.tif 000007
【図５】
2005062632.tif 000008